(57)【特許請求の範囲】
【請求項１】
ケーブルコネクタであって、
第１の絶縁体および該第１の絶縁体内に固定される１列の第１の伝導性ワイヤを備える第１のワイヤハーネス要素であって、前記第１の絶縁体に、第１の位置決め構造および第１のラッチング構造が提供され、各第１の伝導性ワイヤが、前記第１の絶縁体から前方へ延出する裸ワイヤを有する、第１のワイヤハーネス要素と、
該第１のワイヤハーネス要素とともにアセンブリされる第２のワイヤハーネス要素であって、第２の絶縁体および該第２の絶縁体内に固定される１列の第２の伝導性ワイヤを備え、前記第２の絶縁体に、第２の位置決め構造および第２のラッチング構造が提供され、前記第２の位置決め構造が、前記第１の位置決め構造に対応して係合され、各第２の伝導性ワイヤが、前記第２の絶縁体から前方へ延出する裸ワイヤを有する、第２のワイヤハーネス要素と、
固定枠であって、その中の収容キャビティおよび該収容キャビティの底壁を貫通する複数の第１の貫通孔とともに形成され、前記収容キャビティの周囲に係止構造がさらに提供される、固定枠と、
保護カバーと、を備え、
前記第１の絶縁体および前記第２の絶縁体が、前記第１の位置決め構造および前記第２の位置決め構造によって相関的に位置決めされ、前記第１の絶縁体および前記第２の絶縁体が、前記第１のラッチング構造および前記第２のラッチング構造を前記固定枠の係止構造と係合することによって、前記収容キャビティ内に係止され、前記第１の伝導性ワイヤの裸ワイヤおよび前記第２の伝導性ワイヤの裸ワイヤがそれぞれ、前記第１の貫通孔に挿入され、そこから延出し、
前記保護カバーが基部壁および第２の係止構造を備え、前記基部壁に、前記第１の貫通孔にそれぞれ対応する複数の収容孔が提供され、前記第１の伝導性ワイヤの裸ワイヤおよび前記第２の伝導性ワイヤの裸ワイヤがそれぞれ、前記収容孔内に収容され、前記保護カバーが、前記第２の係止構造を前記固定枠と係合することによって、該固定枠とともに固定される、ケーブルコネクタ。
【請求項２】
前記第１の位置決め構造が、前記第１の絶縁体上に提供される第１の陥凹部を備え、前記第２の位置決め構造が、前記第２の絶縁体上に提供される第２の突出部を備え、該第２の突出部が、前記第１の陥凹部に対応して挿入される、請求項１に記載のケーブルコネクタ。
【請求項３】
前記第１のラッチング構造が、前記第１の絶縁体から前方へ突出する位置決めカラムを備え、前記第２のラッチング構造が、前記第２の絶縁体から前方へ突出する位置決めカラムを備え、前記係止構造が、前記２つの位置決めカラムをそれぞれ挿入して、係止するための前記固定枠の底壁に提供される２つの係止溝を備える、請求項１に記載のケーブルコネクタ。
【請求項４】
前記固定枠が、前記底壁の周囲を囲んで４つの側壁を備え、前記収容キャビティが、前記底壁および前記４つの側壁によって形成される、請求項１〜３のいずれか１項に記載のケーブルコネクタ。
【請求項５】
前記係止構造が、前記４つの側壁のうちの１つに提供される弾性タブ、および該弾性タブ上に提供される係止孔をさらに備える、請求項４に記載のケーブルコネクタ。
【請求項６】
前記第１のラッチング構造が、前記第１の絶縁体上に提供されるラッチング突出部を備え、該ラッチング突出部が、前記係止孔に対応して挿入され、その中に係止することができる、請求項５に記載のケーブルコネクタ。
【請求項７】
前記第１の伝導性ワイヤが、インサート成形によって前記第１の絶縁体内に固定され、前記第２の絶縁体および前記第２の伝導性ワイヤが、インサート成形によって前記第２の絶縁体内に固定され、前記第１の伝導性ワイヤの列および第２の伝導性ワイヤの列が、２列で配置される、請求項１に記載のケーブルコネクタ。
【請求項８】
前記保護カバーが、前記基部壁の２つの側面から延在する２つの側壁を備え、該２つの側壁および前記基部壁が互いに協働して、前記固定枠を対応して収容するための収容空間を形成する、請求項１に記載のケーブルコネクタ。
【請求項９】
前記第２の係止構造が、前記２つの側壁のうちの１つの自由遠位端上に提供される係止部であり、該係止部が、前記固定枠の後方縁部上に対応してラッチすることができる、請求項８に記載のケーブルコネクタ。
【発明の詳細な説明】
【技術分野】
【０００１】
本開示はケーブルコネクタに関し、より具体的には、数列の伝導性ワイヤを有するケーブルコネクタに関する。
【背景技術】
【０００２】
中国特許出願第２０１４２０１６５８１７．Ｘ号は、ワイヤハーネスアセンブリを開示しており、該ワイヤハーネスアセンブリは、回路基板上に対応してはんだ付けされてもよく、回路基板には、該複数のはんだ付けパッド、第１の位置決め孔、および第２の位置決め孔が提供される。ワイヤハーネスアセンブリは、複数の伝導性ワイヤおよび伝導性ワイヤ周辺に成形された位置決め要素を備え、各伝導性ワイヤは、延在セグメントおよび延在セグメントの第１の端部で露出セグメントを備え、各延在セグメントは、少なくとも１つの核伝導体および少なくとも１つの核伝導体の周囲を覆う絶縁性外装を備え、露出セグメントは核伝導体の一部であり、これは絶縁性外装から露出し、回路基板のはんだ付けパッド上に対応してはんだ付けされてもよい。位置決め要素は、伝導性ワイヤ周辺に成形される本体部および本体部上に非対称に提供される２本の位置決めピンを備える。ここで、伝導性ワイヤの露出セグメントは、２本の位置決めピンの間に配置される。２本の位置決めピンは、第１の位置決めピンおよび第２の位置決めピンを備え、第１の位置決めピンは、回路基板の第１の位置決め孔に対応し、第２の位置決めピンは回路基板の第２の位置決め孔に対応する。これは、ワイヤハーネスアセンブリにとって、露出セグメントを回路基板の対応するはんだ付け位置に適切に挿入するのに好都合であり得、その結果アセンブリ効率およびはんだ付けの品質が改善される。従来技術におけるこのようなワイヤハーネスアセンブリは、１列の伝導性ワイヤを有するのみであり、２列以上の伝導性ワイヤを有するワイヤハーネスアセンブリが必要とされる場合、２列以上の伝導性ワイヤを有するワイヤハーネスアセンブリは、伝導性ワイヤの位置決めを困難にし、かつ既存の射出成形プロセスの制限により、適合した製品の割合を不十分にする欠陥を有することから、さらに改善することが望ましい。
【発明の概要】
【発明が解決しようとする課題】
【０００３】
本開示によって解決される技術的問題は、２列以上の伝導性ワイヤを強固かつ好都合に係合させ、一体部分として固定させて、従来技術において存在する欠陥を克服することができるケーブルコネクタを提供することである。
【課題を解決するための手段】
【０００４】
上記の技術的問題の観点から、本開示は、ケーブルコネクタであって、第１の絶縁体および第１の絶縁体内に固定される１列の第１の伝導性ワイヤを備える第１のワイヤハーネス要素であって、第１の絶縁体に、第１の位置決め構造および第１のラッチング構造が提供され、各第１の伝導性ワイヤが、第１の絶縁体から前方へ延出する裸ワイヤを有する、第１のワイヤハーネス要素と、第１のワイヤハーネス要素とともにアセンブリされる第２のワイヤハーネス要素であって、第２の絶縁体および第２の絶縁体内に固定される１列の第２の伝導性ワイヤを備え、第２の絶縁体に、第２の位置決め構造および第２のラッチング構造が提供され、第２の位置決め構造が第１の位置決め構造に対応して係合され、各第２の伝導性ワイヤが、第２の絶縁体から前方へ延出する裸ワイヤを有する、第２のワイヤハーネス要素と、固定枠であって、その中の収容キャビティとともに形成され、複数の第１の貫通孔が、収容キャビティの底壁を貫通し、収容キャビティの周囲に、係止構造がさらに提供される固定枠と、を備える、ケーブルコネクタを提供する。第１の絶縁体および第２の絶縁体は、第１の位置決め構造および第２の位置決め構造によって相関的に位置決めされ、第１の絶縁体および第２の絶縁体は、第１のラッチング構造および第２のラッチング構造を固定枠の係止構造と係合することによって、収容キャビティ内に係止され、第１の伝導性ワイヤの裸ワイヤおよび第２の伝導性ワイヤの裸ワイヤはそれぞれ、第１の貫通孔に挿入され、そこから延出する。
【０００５】
本開示の実施形態において、第１の位置決め構造は、第２の絶縁体に向かって、第１の絶縁体の側面上に提供される第１の陥凹部を備え、第２の位置決め構造は、第１の絶縁体に向かって、第２の絶縁体の側面上に提供される第２の突出部を備え、第２の突出部は、第１の陥凹部に対応して挿入される。
【０００６】
本開示の実施形態において、第１のラッチング構造は、第１の絶縁体から前方へ突出する位置決めカラムを備え、第２のラッチング構造は、第２の絶縁体から前方へ突出する位置決めカラムを備え、係止構造は、２つの位置決めカラムをそれぞれ挿入して、係止するための固定枠の底壁に提供される２つの係止溝を備える。
【０００７】
本開示の実施形態において、固定枠は、底壁の周囲を囲んで４つの側壁を備え、収容キャビティは、底壁および４つの側壁によって形成される。
【０００８】
本開示の実施形態において、係止構造は、４つの側壁のうちの１つに提供される弾性タブ、および弾性タブ上に提供される係止孔をさらに備える。
【０００９】
本開示の実施形態において、第１のラッチング構造は、第１の絶縁体上に提供されるラッチング突出部を備え、ラッチング突出部は、係止孔に対応して挿入され、その中に係止することができる。
【００１０】
本開示の実施形態において、第１の伝導性ワイヤはインサート成形によって第１の絶縁体内に固定され、第２の絶縁体および第２の伝導性ワイヤは、インサート成形によって第２の絶縁体内に固定され、第１の伝導性ワイヤの列および第２の伝導性ワイヤの列は、２列で配置される。
【００１１】
本開示の実施形態において、ケーブルコネクタは、保護カバーをさらに備え、保護カバーは基部壁および第２の係止構造を備え、基部壁に、第１の貫通孔にそれぞれ対応する複数の収容孔が提供され、第１の伝導性ワイヤの裸ワイヤおよび第２の伝導性ワイヤの裸ワイヤはそれぞれ、収容孔内に収容され、保護カバーは、第２の係止構造を固定枠と係合することによって、固定枠とともに固定される。
【００１２】
本開示の実施形態において、保護カバーは、基部壁の２つの側面から延在する２つの側壁を備え、２つの側壁および基部壁は互いに協働して、固定枠を対応して収容するための収容空間を形成する。
【００１３】
本開示の実施形態において、第２の係止構造は、２つの側壁のうちの１つの自由遠位端上に提供される係止部であり、係止部は固定枠の後方縁部上に対応してラッチすることができる。
【００１４】
本開示の従来技術と比較して、固定枠が２つのワイヤハーネス要素を係合して、固定することにより、２列の伝導性ワイヤを強固かつ好都合に係合させ、一体部分として固定することができる。
【図面の簡単な説明】
【００１５】
【図１】１つの角度から見た、本開示のケーブルコネクタの実施形態の斜視図である。
【図２】別の角度から見た、本開示のケーブルコネクタの実施形態の斜視図である。
【図３】本開示のケーブルコネクタの実施形態の分解斜視図である。
【図４】１つの角度から見た、図３のさらなる分解斜視図である。
【図５】別の角度から見た、図３のさらなる分解斜視図である。
【図６】１つの角度から見た、図４のさらなる分解斜視図である。
【発明を実施するための形態】
【００１６】
本開示は、様々な形態の実施形態を許容し得るが、本開示は、本開示の原理の例示と見なされるべきであり、本開示を例証されるものに限定する意図はないことを理解の上で、特定の実施形態を図面に示し、本明細書において詳細に記載する。
【００１７】
したがって、特徴に対する言及は、本開示の例の特徴を説明することを意図し、そのすべての実施形態が説明された特徴を有する必要があることを意味するものではない。さらに、説明がいくつかの特徴を例証することに留意するべきである。潜在的なシステム設計を例証するためにある特徴がともに組み合わされている一方で、明確に開示されない他の組み合わせにおいて、それらの特徴を使用することもできる。よって、示す組み合わせは、別段の記載のない限り、限定することを意図したものではない。
【００１８】
図面に例証される実施形態において、上、下、左、右、前、および後などの方向表現は、本開示の種々の要素の構造および動きを説明するために使用され、絶対的ではなく相対的なものである。これらの表現は、要素が図面で示される位置にある場合に適切である。しかしながら、要素の位置の説明が変わる場合、これらの表現はそれに応じて変更されるものとする。
【００１９】
以下、本開示の実施形態を図面と組み合わせてさらに詳細に説明する。
【００２０】
図１〜図６を参照すると、本開示は、第１のワイヤハーネス要素１と、第１のワイヤハーネス要素１上に取り付けられて、かつそれとともにアセンブリされる第２のワイヤハーネス要素２と、第１のワイヤハーネス要素１および第２のワイヤハーネス要素２を固定するための固定枠３と、固定枠３と係合される保護カバー４と、を備える、ケーブルコネクタを提供する。
【００２１】
第１のワイヤハーネス要素１は、第１の絶縁体１１および第１の絶縁体１１内に固定される１列の第１の伝導性ワイヤ１２を備える。本実施形態において、第１の伝導性ワイヤ１２は、インサート成形によって第１の絶縁体１１内に固定される。
【００２２】
第１の絶縁体１１は、第１の本体１１１ならびに第１の本体１１１上に提供される第１のラッチング構造１１６および第１の位置決め構造１１７を備える。第１の本体１１１は一般に、長方形で、複数の第１の伝導性ワイヤ１２を対応して固定するための第１の本体１１１の前部側面から第１の本体１１１の後部側面まで貫通する複数の固定孔１１８が提供される。第１のラッチング構造１１６は、第１の本体１１１の側面から前方へ突出する位置決めカラム１１６１および第１の本体１１１の底部側面から下方へ突出する２つのラッチング突出部１１６２を備える。第１の位置決め構造１１７は、第１の本体１１１の上面上に提供される、第１の陥凹部１１７１および第１の突出部１１７２を備える。各第１の伝導性ワイヤ１２は、第１の絶縁体１１の第１の本体１１１の前部側面から前方へ突出する裸ワイヤ１２１を有する。
【００２３】
第２のワイヤハーネス要素２は、第２の絶縁体２１および第２の絶縁体２１内に固定される１列の第２の伝導性ワイヤ２２を備える。本実施形態において、第２の伝導性ワイヤ２２は、インサート成形によって第２の絶縁体２１内に固定される。第２の伝導性ワイヤ２２の列および第１の伝導性ワイヤ１２の列は、並んで配置される。
【００２４】
第２の絶縁体２１は、第２の本体２１１ならびに第２の本体２１１上に提供される第２のラッチング構造２１６および第２の位置決め構造２１７を備える。第２の本体２１１は一般に、長方形で、第２の伝導性ワイヤ２２を固定するための第２の本体２１１の前部側面から第２の本体２１１の後部側面まで貫通する複数の固定孔２１８が提供される。本実施形態において、第２のラッチング構造２１６は、第２の本体２１１の側面から前方へ突出する位置決めカラムである。第２の位置決め構造２１７は、第２の本体２１１の底面から突出する第２の突出部２１７１および第２の本体２１１の底面内にくぼんだ第２の陥凹部２１７２を備える。各第２の伝導性ワイヤ２２は、第２の絶縁体２１の第２の本体２１１の前部側面から前方へ突出する裸ワイヤ２２１を有する。ここで、第２の絶縁体２１は第１の絶縁体１１上に取り付けられ、第１の突出部１１７２は第２の陥凹部２１７２に対応して挿入され、第２の突出部２１７１は第１の陥凹部１１７１に対応して挿入され、その結果、第１の絶縁体１１および第２の絶縁体２１は互いに対して位置決めされる。
【００２５】
固定枠３は、射出成形によって一体的に形成される。固定枠３は、底壁３１、底壁３１の周囲から後方に延在する４つの側壁３２、３３、３４、３５、および係止構造３６を備える。底壁３１には、複数の第１の貫通孔３８が提供され、これは、第１の伝導性ワイヤ１２の裸ワイヤ１２１および第２の伝導性ワイヤ２２の裸ワイヤ２２１がそれぞれ挿入され、前方へ延出する。底壁３１および４つの側壁３２、３３、３４、３５は、第１の絶縁体１１および第２の絶縁体２１を対応して収容するための収容キャビティ３９を画定するために互いに協働する。係止構造３６は、収容キャビティ３９の周囲に提供され、具体的には、係止構造３６は、２つの位置決めカラム１１６１、２１６１がそれぞれ挿入されて、中に係止される収容キャビティ３９の左側および右側にそれぞれ提供される２つの係止溝３６５と、側壁３２上に提供される２つの弾性タブ３６１、および２つのラッチング突出部１１６２をそれぞれ挿入して、係止するための、２つの弾性タブ３６１上に提供される２つの係止孔３６２と、を備える。本実施形態において、２つのハーネス要素のみが存在するが、示されていないいくつかの実施形態において、複数列の伝導性ワイヤを固定することができるように、３つ以上のハーネス要素を使用してもよいことに留意されたい。
【００２６】
保護カバー４は、射出成形によって一体的に形成される。保護カバー４は、基部壁４１、基部壁４１の底部から延在する下部側壁４２、基部壁４１の上部から延在する上部側壁４３、および上部側壁４３上に提供される第２の係止構造４６を備える。基部壁４１には、複数の第１の貫通孔３８にそれぞれ対応する複数の収容孔４８が提供され、第１の伝導性ワイヤ１２の裸ワイヤ１２１および第２の伝導性ワイヤ２２の裸ワイヤ２２１はそれぞれ、裸ワイヤ１２１、２２１が損傷するのを防止するための複数の収容孔４８に挿入され、その中に収容される。下部側壁４２、上部側壁４３、および基部壁４１は、固定枠３を対応して収容するための収容空間４９を画定するために互いに協働する。保護カバー４は、第２の係止構造４６を固定枠３と係合することによって、固定枠３に固定される。本実施形態において、第２の係止構造４６は、弾性板４６１および弾性板４６１の後方縁部で提供される係止部４６２を備え、係止部４６２は、固定枠３の側壁３３の後方縁部上にラッチすることができ、その結果、係止部４６２は、固定枠３に強固に係合される。
【００２７】
本開示のケーブルコネクタのアセンブリプロセスは一般に、第１の伝導性ワイヤ１２の周囲を囲んで第１の絶縁体１１を形成して第１のワイヤハーネス要素１を得るステップと、第２の伝導性ワイヤ２２の周囲を囲んで第２の絶縁体２１を形成して第２のワイヤハーネス要素２を得るステップと、第２のワイヤハーネス要素２上に第１のワイヤハーネス要素１を取り付けるステップと、その後、第１のワイヤハーネス要素１および第２のワイヤハーネス要素２を固定枠３に挿入するステップと、固定枠３を保護カバー４の収容空間４９に挿入するステップと、保護カバー４の収容空間４９内に固定枠３を固定するステップと、を含む。実用的な用途において、保護カバー４が取り外された後、裸ワイヤ１２１、２２１は回路基板（図示せず）のはんだ付け孔に挿入されて、そこにはんだ付けされてもよく、これは回路基板にケーブルコネクタを装着および固定するのに好都合である。
【００２８】
本開示のケーブルコネクタにおいて、固定枠３は、２つのハーネス要素１、２と係合され、それを固定し、その結果、２列の伝導性ワイヤを強固かつ好都合に係合して、一体部分として固定することができ、さらに、保護カバー４は、パッケージを保護するための固定枠３と係合するように提供され、第１の貫通孔３８から露出される裸ワイヤ１２１、２２１が外力下で変形するのを防止する。
【００２９】
上記の内容は、本開示の実施形態に過ぎず、本開示を実施する解決策を限定するために使用されない。当業者は、本開示の主概念および趣旨に基づいて、極めて好都合に変更または修正することができ、よって、本開示の保護の範囲は、特許請求の範囲の条件によって定められるものとする。
【符号の説明】
【００３０】
参照番号は、以下の通りに表す。
【００３１】
１  第１のワイヤハーネス要素
１１  第１の絶縁体
１２  第１の伝導性ワイヤ
１１１  第１の本体
１１６  第１のラッチング構造
１１７  第１の位置決め構造
１１８  固定孔
１２１  裸ワイヤ
１１６１  位置決めカラム
１１６２  ラッチング突出部
１１７１  第１の陥凹部
１１７２  第１の突出部
２  第２のワイヤハーネス要素
２１  第２の絶縁体
２２  第２の伝導性ワイヤ
２１１  第２の本体
２１６  第２のラッチング構造
２１７  第２の位置決め構造
２１８  固定孔
２２１  裸ワイヤ
２１６１  位置決めカラム
２１７１  第２の突出部
２１７２  第２の陥凹部
３  固定枠
３１  底壁
３２、３３、３４、３５  側壁
３６  係止構造
３８  第１の貫通孔
３９  収容キャビティ
３６１  弾性タブ
３６２  係止孔
３６５  係止溝
４  保護カバー
４１  基部壁
４２  下部側壁
４３  上部側壁
４６  第２の係止構造
４８  収容孔
４９  収容空間
４６１  弾性板
４６２  係止部
【図１】
0006280618.tif 000002
【図２】
0006280618.tif 000003
【図３】
0006280618.tif 000004
【図４】
0006280618.tif 000005
【図５】
0006280618.tif 000006
【図６】
0006280618.tif 000007